(57)【要約】【課題】使用時の開封が容易であり流通過程での開封が無く、特に対策をしなくても、キャップの汚染や紛失の虞が無く、しかもリシールが極めて容易なスパウトを提供する。【解決手段】容器２の口部３に装着するスパウト本体４と、このスパウト本体４に外ヒンジ５を介して連結された上蓋６からなるヒンジキャップ７と、を備えたもので、キャップ本体４の開口部８上端から上方に延設され、上蓋６内に収納される大きさの上端封鎖の筒状体からなる折り取り部９を有し、この折り取り部９は、スパウト本体４の上蓋６の開放側からの外力により折り取り可能な薄肉部１０を介してキャップ本体４の開口部８に連接されていることで、上蓋６により流通過程での開封が無く内容物の飛び出しもない、上蓋６は外ヒンジ５によりスパウト本体４につながり、紛失や落下による汚染が無く、しかもリシールが極めて容易である。【選択図】図１
2007091233.tif 000002
【特許請求の範囲】
【請求項１】
容器の口部に装着するスパウト本体と、該スパウト本体と外ヒンジを介して連結された
上蓋とからなるヒンジキャップを備えたスパウトであって、
該スパウトは、前記スパウト本体開口部上端から上方に延設され、前記上蓋内に収納さ
れる大きさの上端封鎖の筒状体からなる折り取り部を有し、
該折り取り部は、前記上蓋の開放側からの外力により折り取り可能な薄肉部を介してキ
ャップ本体の開口部に連接されている、
ことを特徴とするスパウト。
【請求項２】
前記折り取り部の薄肉部が、前記上蓋の開放側から外ヒンジ側にかけて次第に下方に向
けて傾斜してなる請求項１記載のスパウト。
【請求項３】
前記容器が、その端部内周に上記スパウトを溶着してなるパウチである請求項１または
２記載のスパウト。
【発明の詳細な説明】
【技術分野】
【０００１】
本発明は、パウチなどの容器に取り付けるスパウトに関するもので、より詳しくは、ス
パウト本体の上蓋内に収納される上端封鎖の筒状体からなる、外力により折り取り可能な
折り取り部がスパウト本体の開口部に連接されているスパウトに関する。
【背景技術】
【０００２】
スパウトは、小さな袋であるパウチ等に取り付けるもので、このスパウトを通してある
いは場合により他の開口部を通して、パウチ等内に内容物として液状物等を充填すると共
に、パウチ等内の加熱滅菌した液状物等を取り出すためのものである。このスパウトをリ
シールするためのキャップの汚染や紛失を無くして、安全確実なリシール性を確保した下
記に示すような技術が知られている。
【特許文献１】特開２００２−２９５５２号公報
【０００３】
この特許文献１のスパウト５０は、図５、６に示すように、パウチ５１の側部に溶着す
る取付基部５２と、この取付基部５２から外方に向かって延び外周面にネジ山５３を有す
る注出筒５４と、この注出筒５４の注出端に破断可能な薄肉部５５を介して接続している
キャップ５６と、からなる。このキャップ５６は、注出筒５４のネジ山５３にネジ装着し
てリシールが出来、且つ取付基部５２上面に設けた嵌合用穴５７に嵌合出来る突起５８を
備えてなるものである。
【０００４】
そして、このスパウト５０によれば、パウチ５１の内容物を得たい場合は、薄肉部５５
に外力を加えて破断して注出筒５４の注出端からキャップ５６を外し、落下や紛失を防ぐ
ために、取付基部５２上面の嵌合用穴５７に突起５８を嵌め込みキャップ５６を仮止めし
てから、内容物を得る。そして、このスパウト５０は、パウチ５１に内容物が残留してい
れば、注出筒５４にキャップ５６をネジ装着してリシールすることが出来て、安全確実な
リシール性を確保出来るものである。
【発明の開示】
【発明が解決しようとする課題】
【０００５】
特許文献１のスパウト５０は、取付基部５２の嵌合用穴５７にキャップ５６の突起５８
を嵌め込めば、キャップ５６の落下による汚染や紛失が無く、かつ、注出筒５４にキャッ
プ５６をネジ装着してリシールすることが出来る点では使い勝手が良い。
しかしながら、このスパウト５０は、流通過程で薄肉部５５が破断して、注出筒５４の
注出端からキャップ５６が外れて内容物が流失する虞があり、さらに、それを防ぐために
薄肉部５５を強化すると使用時の破断が困難となり、無理に開けようとすると力余って内
容物が流失する虞がある。また、キャップ５６の開封後に取付基部５２上面にキャップ５
６を仮止めすること自体が煩わしく、そのため仮止めしないケースもあり、そのような場
合に落下による汚染や紛失を免れることが出来ない。しかも、キャップ５６を仮止めする
際、力余ってパウチ５１の内容物が注出筒５４の注出端から飛び出す虞もあり、加えて、
キャップ５６の内面が裸出した状態で注出筒５４の注出端に接続しているので、少なくと
もその部分を包装しなければ汚染の虞がある。
【０００６】
そこで、本発明の目的は、使用時の開封が容易であるのに流通過程での開封がなく、格
別の対策をとらなくても、キャップの汚染や紛失の虞が無く、しかもリシールが極めて容
易なスパウトを提供することにある。
【課題を解決するための手段】
【０００７】
本発明は、上記目的を達成するために提案されたものであって、下記の構成からなるこ
とを特徴とするものである。
すなわち、本発明によれば、容器の口部に装着するスパウト本体と、該スパウト本体と
外ヒンジを介して連結された上蓋とからなるヒンジキャップを備えたスパウトであって、
該スパウトは、前記スパウト本体開口部上端から上方に延設され、前記上蓋内に収納され
る大きさの上端封鎖の筒状体からなる折り取り部を有し、該折り取り部は、前記上蓋の開
放側からの外力により折り取り可能な薄肉部を介してキャップ本体の開口部に連接されて
いる、ことを特徴とするスパウトが提供される。
【０００８】
また、本発明によれば、前記折り取り部の薄肉部が、前記上蓋の開放側から外ヒンジ側
にかけて次第に下方に向けて傾斜してなるスパウトが提供される。
【０００９】
また、本発明によれば、容器が、その端部内周に上記スパウトを溶着してなるパウチで
あるスパウトが提供される。
【発明の効果】
【００１０】
本発明のスパウトは、スパウト本体からヒンジキャップの上蓋を開き、折り取り部を裸
出し、薄肉部を折り取ることにより折り取り部を除去して開封し、容器の内容物をスパウ
ト本体を経由し開口部から取り出して利用し、利用後にスパウト本体の開口部をヒンジキ
ャップの上蓋で閉じるようになっているため、折り取り部が上蓋で覆われていることによ
り流通過程で薄肉部が折り取りされず、そのため不用意な開封が無く、薄肉部を強化する
必要がないから使用時の開封が容易となり内容物の飛び出しもない。そして、上蓋はヒン
ジを介してスパウト本体につながっているため、特に対策をとらなくても紛失や落下によ
る汚染が無く、しかもリシールが極めて容易である。
【００１１】
また、本発明のスパウトは、折り取り部に手指を掛け外ヒンジ側に外力を加えると、上
蓋の開放側の折り取り部における薄肉部が裂け始め、さらに外ヒンジ側に向けて下方に傾
斜している薄肉部が裂け、折り取り部が除去され開封されるようになっているため、折り
取り部を折り取りし易く開封が容易である。
【００１２】
また、本発明のスパウトは、パウチ内の内容物がスパウトを通じて外部に排出されると
、それに伴いその分のパウチも縮小するため、使用済みのパウチの処分が容易となる。
【発明を実施するための最良の形態】
【００１３】
以下に、図面を参照して本発明を実施するための最良の形態を説明する。
【実施例１】
【００１４】
図１は本発明の実施例１を示すスパウトをパウチに取り付けた状態の縦断面図、図２は
実施例１のスパウトの上蓋を開いた状態の縦断面図である。これらの図面において、スパ
ウト１は、容器２の口部３に装着するスパウト本体４と、このスパウト本体４に外ヒンジ
５を介して連結された上蓋６からなるヒンジキャップ７とを備えたものであって、スパウ
ト本体４の開口部８上端から上方に延設され、上蓋６内に収納される大きさの上端封鎖の
筒状体からなる折り取り部９を有し、この折り取り部９は、スパウト本体４の上蓋６の開
放側からの外力により折り取り可能な薄肉部１０を介してスパウト本体４の開口部８に連
接されているものである。
【００１５】
前記容器２の種類は特に限定されるものではないが、この実施例１ではパウチ（以下、
パウチ２という）の例を示している。また、このパウチ２に収納される内容物としては、
特に限定されるものではないが、調味料などが例示される。
【００１６】
前記キャップ本体４は、パウチ２の口部３に取り付けるための取付基部２０と、この取
付基部２０から直立している開口部８とからなり、この取付基部２０にパウチ２の口部３
を溶着している。一方、開口部８は、その上端開口８ａに、薄肉部１０を介して連接して
いて且つ上方に延設した筒状体の折り取り部９があり、さらに、この折り取り部９を前記
上蓋６と相俟って覆う拡幅壁２１がある。この拡幅壁２１は、図１に示すように斜めに形
成され、その頂点部分がパウチ２の内容物の注出口２１ａとなり、その反対側の底点部分
にはヒンジキャップ７が取り付けられている。
【００１７】
前記折り取り部９の上端開口８ａの連接部位である薄肉部１０は、スパウト本体４にお
ける上蓋６の開放側、すなわち、注出口２１ａから外ヒンジ５側にかけて次第に下方に向
けて傾斜している。また、この折り取り部９にはその筒状体上方が、親指の腹側の形状に
対応する凹部９ａを有している。したがって、折り取り部９の凹部９ａに手指を掛け外ヒ
ンジ５側に外力を加えると、上蓋６の開放側の折り取り部９における薄肉部１０が裂け始
め、さらに外ヒンジ５側に向けて下方に傾斜している薄肉部１０が裂けて、折り取り部９
を除去出来、開封される。すなわち、折り取り部９の薄肉部１０が上蓋６の開放側から外
ヒンジ５側に向けて下方に傾斜しているから、折り取り部９が折り取りされ易くなって、
開封を容易にしている。
【００１８】
前記ヒンジキャップ７は、拡幅壁２１上端の底点部分に取り付けられた外ヒンジ５と、
この外ヒンジ５に取り付けられ開口部８の拡幅壁２１を開閉自在にする上蓋６とからなる
。一方、上蓋６は、折り取り部９を覆うのに充分なスペースを有し、且つ開口部８の拡幅
壁２１に沿いリシール出来る形状をなし、さらに、開口部８のリシール性を保持するため
、上蓋６の縁部にインナーリング２２が設けてある。また、上蓋６には突起２３が設けら
れ、この突起２３に手指を掛けることで、上蓋６を開閉し易くしている。
【００１９】
次に、上記構成になるスパウト１の使用方法を述べる。
まず、図１に示すような状態のスパウト１は、内容物の充填されたパウチ２に溶着など
の手段により、取り付けられている。したがって、パウチ２の内容物を利用したい場合は
、まず、ヒンジキャップ７の上蓋６の突起２３に手指を掛け力を加えれば、上蓋６は容易
に開けることが出来、折り取り部９を裸出することが出来る。そして、この折り取り部９
の凹部９ａに親指の腹をあてがって、外ヒンジ５側に外力を加えると、容易に薄肉部１０
が破断して、折り取り部９を除去出来、完全に開封することが出来る。このスパウト１を
パウチ２と共に傾ければ、内容物はスパウト本体４内を通り、上端開口８ａ及び拡幅壁２
１の頂点部分である注出口２１ａから外部に注ぎ出されることになる。
【００２０】
パウチ２の内容物を利用し終わり、内容物がなくなればパウチ２と共にスパウト１も廃
棄されるが、内容物が残留していれば、ヒンジキャップ７の上蓋６を閉じれば、開口部８
の拡幅壁２１に上蓋６のインナーリング２２が嵌り、リシールされる。残留した内容物を
さらに使用したい場合は、上蓋６の突起２３に手指を掛け、力を加えれば上蓋６は容易に
開けることが出来るから、スパウト１をパウチ２と共に傾ければ、再び内容物を注出口２
１ａから外部に注ぎ出すことが出来、内容物を再利用できる。
【産業上の利用可能性】
【００２１】
本発明のスパウトは、流通過程での損傷が防止され、且つリシール性が強く望まれるよ
うな場合に極めて利用可能性が高くなる。
【図面の簡単な説明】
【００２２】
【図１】本発明の実施例１を示すスパウトをパウチに取り付けた状態の縦断面図である。
【図２】本発明の実施例１を示すスパウトの上蓋を開いた状態の縦断面図である。
【図３】本発明の実施例１を示すスパウトの折り取り部を除去する状態の縦断面図である。
【図４】本発明の実施例１を示すスパウトを利用した後のリシール状態の縦断面図である。
【図５】パウチにスパウトを取り付けた状態の従来例を示す正面図である。
【図６】従来例を示すスパウトの縦断面図である。
【符号の説明】
【００２３】
１，５０                      スパウト
２，５１                      容器（パウチ）
３                            口部
４                            スパウト本体
５                            外ヒンジ
６                            上蓋
７                            ヒンジキャップ
８                            開口部
８ａ                          上端開口
９                            折り取り部
９ａ                          凹部
１０，５５                    薄肉部
２０，５２                    取付基部
２１                          拡幅壁
２１ａ                        注出口
２２                          インナーリング
２３                          突起
５３                          ネジ山
５４                          注出筒
５６                          キャップ
５７                          嵌合用穴
【図１】
2007091233.tif 000003
【図２】
2007091233.tif 000004
【図３】
2007091233.tif 000005
【図４】
2007091233.tif 000006
【図５】
2007091233.tif 000007
【図６】
2007091233.tif 000008